(57)【要約】      （修正有）【課題】保温性・保冷性に優れた断熱性弁当容器を提供する。【解決手段】容器本体１と、該容器本体１の上部開口を閉塞する蓋体２とから成り、容器本体１は、真空断熱容器室Ｓ１を区成する内外二重壁１ａ、１ｂにより形成され、真空断熱容器室Ｓ１を底部４と上向き周側部５と上端開口縁部６の全体に通じて形成しており、蓋体２は、真空断熱蓋室Ｓ２を区成する内外二重壁２ａ、２ｂにより形成され、真空断熱蓋室Ｓ２を蓋部１２と下向き周側部１３の全体に通じて形成しており、真空断熱蓋室Ｓ２を備えた蓋体２の下向き周側部１３を真空断熱容器室Ｓ１を備えた容器本体１の上端開口縁部６に外嵌することにより、嵌合部における真空断熱構造を確保している。【選択図】図４
0003212827.tif 000002
【実用新案登録請求の範囲】
【請求項１】
底部と上向き周側部と上端開口縁部を備えた容器本体(1)と、該容器本体の上部開口を閉塞する蓋部と下向き周側部を備えた蓋体(2)とから成り、
前記容器本体(1)は、真空断熱容器室(S1)を区成する内外二重壁により形成され、前記真空断熱容器室を前記底部(4)と上向き周側部(5)と上端開口縁部(6)の全体に通じて形成しており、
前記蓋体(2)は、真空断熱蓋室(S2)を区成する内外二重壁により形成され、前記真空断熱蓋室を前記蓋部(12)と下向き周側部(13)の全体に通じて形成しており、
前記蓋体の下向き周側部(13)を容器本体の上端開口縁部(6)に外嵌して成ることを特徴とする断熱性弁当容器。
【請求項２】
前記容器本体の上端開口縁部(6)は、分厚く形成された環状受部(6a)の内周側から薄く形成された環状立壁(6b)を立設し、前記蓋体の下向き周側部(13)を前記環状立壁(6b)に外嵌するように構成して成ることを特徴とする請求項１に記載の断熱性弁当容器。
【請求項３】
前記容器本体(1)は、前記底部と上向き周側部により囲まれた内部空間に下側室(8)と上側室(9)を形成し、上側室に小容器(3)を収納しており、
前記小容器(3)は、上部開口縁に外向きのフランジ(20)を設けた小容器本体(18)と、該小容器本体の上部開口を密閉する密閉蓋(19)とから成り、
前記小容器(3)を前記上側室(9)に収納し、弾性パッキン(21)を介して、前記フランジ(20)を前記環状立壁(6)に載置すると共に、前記小容器の開口縁部を前記環状立壁(6)に気密的に嵌入して成ることを特徴とする請求項２に記載の断熱性弁当容器。
【請求項４】
前記容器本体(1)の上向き周側部(5)の外面に横軸廻りに回動自在な閉蓋ロックアーム(11)を設け、該閉蓋ロックアームを起立回動することにより、該ロックアーム先端の押圧部(28)により、前記蓋体(2)を下向きに押圧するように構成しており、
前記小容器(3)の密閉蓋(19)は、周縁部に起立する周壁(23)と、該周壁の上端から外向きに延びる水平板壁(24)を備え、
前記周壁(23)を前記小容器本体(18)の上部開口に嵌入し密閉すると共に、前記水平板壁(24)を前記小容器本体のフランジ(20)の上面に重ね合わせており、
前記蓋体(2)は、前記下向き周側部(13)の内側に位置して前記蓋部(12)の下面に凹部(15)を形成し、該凹部に前記水平板壁(24)を当接状態で受入れており、前記閉蓋ロックアーム(11)により蓋体が受ける下向き押圧力(P)を前記凹部(15)により前記水平板壁(24)に伝達するように構成して成ることを特徴とする請求項３に記載の断熱性弁当容器。
【考案の詳細な説明】
【技術分野】
【０００１】
本考案は、保温性・保冷性に優れた断熱性弁当容器に関する。
【背景技術】
【０００２】
本出願人は、下記特許文献により、真空断熱容器室を区成する内外二重壁により形成した真空容器としての容器本体と、容器本体の上部開口を閉塞する蓋体により構成した断熱性弁当容器を提案している。
【先行技術文献】
【特許文献】
【０００３】
【特許文献１】特開２００７−２３６５９３号公報
【特許文献２】特許第３５４４５３１号公報
【特許文献３】特許第５１６５０７４号公報
【考案の概要】
【考案が解決しようとする課題】
【０００４】
従来の断熱性弁当容器は、主として真空容器としての容器本体により保温性・保冷性を確保している。そして、保温性・保冷性の低下を防止するため、蓋体は、合成樹脂により形成した分厚い栓体として、内部に断熱材を充填している。
【０００５】
これにより、温かい米飯等の温食材は、保温状態を維持することができ、反対に、冷たい冷食材は、保冷状態を維持することができる利点がある。
【０００６】
しかしながら、容器本体に収容された食材の熱は、蓋体を介して放熱されるので、長時間の保温・保冷を持続することが困難である。蓋体の断熱性は、充填された断熱材に依存しており、完全に熱を遮断するものではないので、例えば、容器本体の内部温度と外気温度の差が大きいと、保温保冷のための温度状態を持続可能とする有効時間が短くなるという問題がある。
【０００７】
ところで、このような問題は、容器本体を真空容器により形成するだけでなく、蓋体も真空断熱室を有する真空栓体により形成すれば、解決可能であると考えられる。
【０００８】
しかしながら、その場合でも、容器本体と蓋体の相互の接合部の間から放熱ないし熱伝導が可能となるので、保温保冷のための有効時間をある程度は延ばすことはできても、十分に満足できる有効時間を可能にすることは困難である。
【課題を解決するための手段】
【０００９】
本考案は、上記課題を解決した断熱性弁当容器を提供するものであり、その手段として構成したところは、底部と上向き周側部と上端開口縁部を備えた容器本体と、該容器本体の上部開口を閉塞する蓋部と下向き周側部を備えた蓋体とから成り、前記容器本体は、真空断熱容器室を区成する内外二重壁により形成され、前記真空断熱容器室を前記底部と上向き周側部と上端開口縁部の全体に通じて形成しており、前記蓋体は、真空断熱蓋室を区成する内外二重壁により形成され、前記真空断熱蓋室を前記蓋部と下向き周側部の全体に通じて形成しており、前記蓋体の下向き周側部を容器本体の上端開口縁部に外嵌して成る点にある。
【００１０】
前記容器本体の上端開口縁部は、分厚く形成された環状受部の内周側から薄く形成された環状立部を立設し、前記蓋体の下向き周側部を前記環状立部に外嵌するように構成することが好ましい。
【００１１】
好ましい実施形態において、前記容器本体は、前記底部と上向き周側部により囲まれた内部空間に下側室と上側室を形成し、上側室に小容器を収納しており、前記小容器は、上部開口縁に外向きフランジを設けた小容器本体と、該小容器本体の上部開口を密閉する密閉蓋とから成り、前記小容器を前記上側室に収納し、弾性パッキンを介して、前記フランジを前記環状立壁に載置すると共に、前記小容器の開口縁部を前記環状立壁に気密的に嵌入している。
【００１２】
この際、前記容器本体の上向き周側部の外面に横軸廻りに回動自在な閉蓋ロックアームを設け、該閉蓋ロックアームを起立回動することにより、該閉蓋ロックアーム先端の押圧部により、前記蓋体を下向きに押圧するように構成することが好ましく、前記小容器の密閉蓋は、周縁部に起立する周壁と、該周壁の上端から外向きに延びる水平板壁を備え、前記周壁を前記小容器本体の上部開口に嵌入し密閉すると共に、前記水平板壁を前記小容器本体のフランジの上面に重ね合わせるように構成し、前記蓋体は、前記下向き周側部の内側に位置して前記蓋部の下面に凹部を形成し、該凹部に前記水平板壁を当接状態で受入れており、前記閉蓋ロックアームにより蓋体が受ける下向き押圧力を前記凹部により前記水平板壁に伝達するように構成することが好ましい。
【考案の効果】
【００１３】
本考案によれば、長時間の保温・保冷を持続することが可能な断熱性弁当容器を提供することができるという効果がある。
【図面の簡単な説明】
【００１４】
【図１】本考案の第１実施形態に関して、容器本体の上部を蓋体で閉塞すると共に閉蓋ロックアームでロックした状態を示す斜視図である。
【図２】容器本体と小容器と蓋体を分解状態で示す斜視図である。
【図３】容器本体に小容器を収納すると共に蓋体で閉塞した状態を示す縦断面図である。
【図４】容器本体から蓋体を離反させた状態を示す縦断面図である。
【図５】容器本体を蓋体により施蓋した状態を示す縦断面図である。
【図６】小容器を示しており、（Ａ）は小容器本体と密閉蓋を離反させた状態を示す縦断面図、（Ｂ）は小容器本体を密閉蓋により密閉した状態を示す縦断面図である。
【図７】容器本体に小容器を収納した状態で蓋体により施蓋し、閉蓋ロックアームによりロックした状態を示す縦断面図である。
【考案を実施するための形態】
【００１５】
以下図面に基づいて本考案の好ましい実施形態を詳述する。
【００１６】
本考案の断熱性弁当容器は、容器本体１と、該容器本体１の上部開口を閉塞する蓋体２と、前記容器本体１に収納される小容器３により構成されている。
【００１７】
（容器本体）
図３及び図４に示すように、容器本体１は、底部４と上向き周側部５と上端開口縁部６を備え、真空断熱容器室Ｓ１を区成する内壁１ａと外壁１ｂから成る内外二重壁により形成されており、前記真空断熱容器室Ｓ１を前記底部４と上向き周側部５と上端開口縁部６の全体に通じて形成している。
【００１８】
このような容器本体１は、それぞれステンレス板製の内壁１ａと外壁１ｂを相互間に空間を形成した状態で結合し、前記空間の内部の空気を吸引して排出することにより前記真空断熱容器室Ｓ１を形成しており、底部４の底面に座板７を固着している。
【００１９】
図４に示すように、容器本体１は、前記底部４と上向き周側部５により囲まれた内部空間に、下側室８と上側室９を形成しており、両室の境界線を示すリブ１０を内壁１ａに周設している。尚、上側室９は、上向き周側部５から上端開口縁部６に至る内部空間により形成されており、後述するように小容器を収納可能とする。
【００２０】
容器本体１の上端開口縁部６は、分厚く形成された環状受部６ａの内周側から薄く形成された環状立部６ｂを立設しており、前記真空断熱容器室Ｓ１が環状受部６ａ及び環状立部６ｂの内部に至り形成されている。
【００２１】
尚、前記環状受部６ａの下側に位置して、外壁１ｂの外面には、後述する閉蓋ロックアーム１１が上向き周側部５の直径方向に対向して一対が設けられている。
【００２２】
（蓋体）
図３及び図４に示すように、蓋体２は、前記容器本体１の上部開口を閉塞する蓋部１２と、該蓋部１２の外周縁から垂設された下向き周側部１３を備え、真空断熱蓋室Ｓ２を区成する内壁２ａと外壁２ｂから成る内外二重壁により形成されており、前記真空断熱蓋室Ｓ２を前記蓋部１２と下向き周側部１３の全体に通じて形成している。
【００２３】
このような蓋体２は、それぞれステンレス板製の内壁２ａと外壁２ｂを相互間に空間を形成した状態で結合し、前記空間の内部の空気を吸引して排出することにより前記真空断熱蓋室Ｓ２を形成しており、蓋部１２の上面にフィルム層や塗装層から成るトップコート１４を設けている。
【００２４】
図４に示すように、前記蓋部１２は、下向き周側部１３の内側に位置して、内壁２ａを上向きに凹入することにより凹部１５を形成しており、該凹部１５に隣接する内壁２ａの内周部を下向き凸状に折曲することにより、真空断熱蓋室Ｓ２を部分的に分厚くした環状室１６を形成している。
【００２５】
前記下向き周側部１３を形成する外壁２ｂは、上端から折曲された折曲部を蓋部１２に向けて次第に下降傾斜させることにより上面テーパ壁１７を形成しており、該上面テーパ壁１７は、蓋体２の全周に周設されている。
【００２６】
（蓋体の下向き周側部と容器本体の上端開口縁部）
図５に示すように、容器本体１を蓋体２により施蓋したとき、蓋体２の下向き周側部１３が容器本体１における上端開口縁部６の環状立壁６ｂに外嵌され、下向き周側部１３の下端縁が環状受部６ａの上部に載置される。
【００２７】
この状態で、環状立壁６ｂとこれに重なる下向き周側部１３を合わせた幅Ｗ１は、環状受部６ａの幅Ｗ２とほぼ等しくなるように構成されている。尚、環状立壁６ｂの上方には前記凹部１５が臨まされ、該凹部１５に隣接する蓋体２の内周部には前記環状室１６が配置されている。
【００２８】
（小容器）
前記小容器３は、図６（Ａ）に示すように、それぞれ合成樹脂により形成された上部開口状の小容器本体１８と、小容器本体１８の上部開口を密閉する密閉蓋１９により構成されている。
【００２９】
小容器本体１８は、上部開口縁に外向きのフランジ２０を備えており、該フランジ２０の下側に弾性パッキン２１を装着している。弾性パッキン２１は、エラストマーにより断面Ｌ形のリング状に形成され、小容器本体１８の開口縁部の外周面に弾着する縦壁２１ａと、フランジ２０の下面に密着する横壁２１ｂを備えている。
【００３０】
密閉蓋１９は、蓋板部２２の周縁部に交差して起立する周壁２３と、該周壁２３の上端から外向きに延びる水平板壁２４を備えている。図示実施形態の場合、水平板壁２４の一部分に周壁２３から内向きに張出す摘まみ片２５が延設されている。
【００３１】
前記周壁２３の外周にはエラストマーから成るリング状のシールパッキン２６が装着されている。
【００３２】
そこで、図６（Ｂ）に示すように、密閉蓋１９の周壁２３を小容器本体１８の上部開口縁に押し込むと、前記シールパッキン２６を介して小容器本体１８の上部開口が密閉され、この状態で、密閉蓋１９の水平板壁２４が小容器本体１８のフランジ２０の上面に重ね合わせられる。
【００３３】
（閉蓋ロックアーム）
上記閉蓋ロックアーム１１は、図１及び図４に示すように、容器本体１の外面に固着された軸支ブラケット２７を介して横軸廻りに回動自在に軸支された２本のアーム部の先端を門形に連結すると共に、該門形部に押圧ローラ２８を設けている。
【００３４】
蓋体２を容器本体１から取外し、容器本体１の上部を開口させた状態で、閉蓋ロックアーム１１は、図４に示すように、下向き回動させられており、軸支ブラケット２７に吊持されている。蓋体２により容器本体１を施蓋させ、閉蓋ロックアーム１１を起立回動させると、図１及び図７に示すように、押圧ローラ２８が蓋体２の上面テーパ壁１７を乗り越えると共に、該上面テーパ壁１７に圧接され、図７に矢印Ｐで示すように、蓋体２を下向きに押圧した状態で固定ロックする。
【００３５】
（作用）
上記のように構成した断熱性弁当容器は、例えば、容器本体１の下側室８に炊き立ての米飯等を収容し、上側室９に小容器３に収納した状態で、容器本体１を蓋体２で施蓋することにより使用される。小容器３には、惣菜等を収容することができるが、密閉蓋１９により密閉可能に構成されているので、味噌汁やスープを収容することもできる。下側室８に米飯等を収容する際、リブ１０を指標として、米飯等が下側室８を超えて上側室９まで盛り付けられないように注意を喚起させることができる。
【００３６】
小容器３は、密閉蓋１９で小容器本体１８を密閉した状態で、容器本体１の上側室９に収容すると、図７に示すように、弾性パッキン２０の縦壁２１ａが環状立壁６ｂに気密状態で嵌入され、横壁２１ｂが環状立壁６ｂの上面に載置される。
【００３７】
容器本体１の上側室９に小容器３を収容した後、容器本体１の上部開口を蓋体２により施蓋すると、蓋体２の下向き周側部１３が容器本体１の環状立壁６ｂに外嵌され、下向き周側部１３の下端縁が環状受部６ａの上部に臨まされる。この状態で、小容器３における密閉蓋１９の水平板壁２４が蓋体２の凹部１５に受入れられ、該水平板壁２４の上面に凹部１５の凹底部が当接させられる。
【００３８】
その後、閉蓋ロックアーム１１を起立させ、押圧ローラ２８を蓋体２の上面テーパ壁１７に嵌着すると、上述のように蓋体２に下向きの押圧力Ｐが与えられ、蓋体２が施蓋状態で固定ロックされる。
【００３９】
前記押圧力Ｐは、前記凹部１５から水平板壁２４に伝達され、水平板壁２４を下向きに押圧する。水平板壁２４の下面には小容器本体１８のフランジ２０が重ね合わせられ、更に、該フランジ２０の下面には弾性パッキン２１の横壁２１ｂが重ね合わせられているので、弾性パッキン２１の横壁２１ｂが環状立壁６ｂの上面に弾接される。
【００４０】
これにより、上側室９に収納された小容器３と、容器本体１の上端開口縁部６との相互は、弾性パッキン２１の縦壁２１ａが環状立壁６ｂの内周面に弾着され、横壁２１ｂが押圧力Ｐを伴って環状立壁６ｂの上面に弾着されることにより、高い気密性を保持し、外気からの断熱性を確保する。
【００４１】
容器本体１の底部４から上向き周側部５に囲まれた内部空間は、真空断熱容器室Ｓ１により極めて高い断熱性が確保され、容器本体１の上部領域は、蓋体２の真空断熱蓋室Ｓ２により極めて高い断熱性が確保されている。
【００４２】
例えば、小容器３に味噌汁等の高温食材を収容している場合、密閉蓋１９の蓋板部２２を熱が透過するが、蓋板部２２の上方領域は、蓋部１２の真空断熱蓋室Ｓ２により被われ、しかも、該真空断熱蓋室Ｓ２の分厚い環状室１６により囲まれているので、外部に向かう放熱を阻止する。
【００４３】
そして、容器本体１と蓋体２の両方を真空断熱構造とする構成においては、容器本体１と蓋体２の嵌合部から内部の熱が放出される点に最大の課題があるところ、上述のように、嵌合部の下側には、上向き周側部５に形成された真空断熱容器室Ｓ１を幅Ｗ２とした広幅の環状受部６ａを設け、これにより断熱効果を高めている。しかも、嵌合部においては、真空断熱容器室Ｓ１を延長させた環状立壁６ｂに対して、真空断熱蓋室Ｓ２を延長させた下向き周側部１３を外嵌させることにより、両者を合せて広幅の幅Ｗ１とした広幅の真空断熱空間を形成し、これにより断熱効果を高めている。
【００４４】
その結果、本考案によれば、長時間の保温・保冷を持続することが可能な断熱性弁当容器を提供することができる。
【符号の説明】
【００４５】
１  容器本体
１ａ  内壁
１ｂ  外壁
Ｓ１  真空断熱容器室
２  蓋体
２ａ  内壁
２ｂ  外壁
Ｓ２  真空断熱蓋室
３  小容器
４  底部
５  上向き周側部
６  上端開口縁部
６ａ  環状受部
６ｂ  環状立壁
７  座板
８  下側室
９  上側室
１０  リブ
１１  閉蓋ロックアーム
１２  蓋部
１３  下向き周側部
１４  トップコート
１５  凹部
１６  環状室
１７  上面テーパ壁
１８  小容器本体
１９  密閉蓋
２０  フランジ
２１  弾性パッキン
２１ａ  縦壁
２１ｂ  横壁
２２  蓋板部
２３  周壁
２４  水平板壁
２５  摘み片
２６  シールパッキン
２７  軸支ブラケット
２８  押圧ローラ
【図１】
0003212827.tif 000003
【図２】
0003212827.tif 000004
【図３】
0003212827.tif 000005
【図４】
0003212827.tif 000006
【図５】
0003212827.tif 000007
【図６】
0003212827.tif 000008
【図７】
0003212827.tif 000009